(57)【要約】  本開示は、電子機器に新たな機能を付与することができるようにする接続装置に関する。フィルムアンテナは、無線により送信された無線信号を受信し、中継部は、受信された無線信号をテレビジョン受像機に中継し、LEDインジケータは、テレビジョン受像機からの制御信号に基づいて発光し、格納ケースは、フィルムアンテナ、中継部及び発光部を格納し、接続部材は、格納ケースをテレビジョン受像機に接続する。また、格納ケースは、テレビジョン受像機に接続された状態で、テレビジョン受像機の筐体上の、表示部が設けられた筐体面の法線方向に、その筐体面よりも突出する突出部位を有し、突出部位にフィルムアンテナを格納する。本開示は、例えば、無線信号を受信する受信部を有する受信装置等に適用できる。
2013099774.tif 000002
【特許請求の範囲】
【請求項１】
電子機器に接続可能な接続装置において、
無線により送信された無線信号を受信する受信部と、
受信された前記無線信号を前記電子機器に中継する中継部と、
前記電子機器からの制御信号に基づいて発光する発光部と、
前記受信部、前記中継部及び前記発光部を格納する格納部と、
前記格納部を前記電子機器に接続する機器接続部と
を含み、
前記格納部は、前記電子機器に接続された状態で、前記電子機器の筐体上の、予め決められた筐体面の法線方向に、前記筐体面よりも突出する突出部位を有し、前記突出部位に前記受信部を格納する
接続装置。
【請求項２】
前記格納部は、前記筐体面の一部を覆う前記突出部を有する
請求項１に記載の接続装置。
【請求項３】
接続端子と接続される端子接続部をさらに含み、
前記格納部は、前記端子接続部も格納する
請求項２に記載の接続装置。
【請求項４】
前記受信部は、前記無線信号を受信するためのアンテナである
請求項３に記載の接続装置。
【請求項５】
前記受信部は、フィルム上に形成された前記アンテナである
請求項４に記載の接続装置。
【請求項６】
前記アンテナが設けられた板状部材をさらに含み、
前記格納部は、前記突出部位に前記アンテナが格納される場所に、前記板状部材を格納する
請求項４に記載の接続装置。
【請求項７】
前記機器接続部は、前記電子機器と着脱自在とされる
請求項２に記載の接続装置。
【請求項８】
前記受信部は、前記突出部位に内包された状態で成型され、
前記突出部位の一部に前記受信部を露出する切り欠き部を有し、
前記中継部と接続された接続部位は、前記切り欠き部に位置し、前記受信部に接触している
請求項１に記載の接続装置。
【請求項９】
前記受信部は、異なる通信を受信する複数の受信部を含み、
前記複数の受信部の間には、電波干渉を遮断する遮断部が設けられている
請求項１に記載の接続装置。
【請求項１０】
前記前記遮断部の上面は、前記電子機器の前記筐体の一部分と接している
請求項９に記載の接続装置。
【請求項１１】
前記電子機器は、表示部を有するテレビジョン受像機であり、
前記格納部は、前記テレビジョン受像機に接続された状態で、前記テレビジョン受像機の筐体上の、前記表示部が設けられた前記筐体面の法線方向に、前記筐体面よりも突出する前記突出部位を有し、前記突出部位に前記受信部を格納する
請求項１に記載の接続装置。
【発明の詳細な説明】
【技術分野】
【０００１】
本開示は、接続装置に関し、特に、例えば、接続装置と接続された電子機器に新たな機能を付与できるようにした接続装置に関する。
【背景技術】
【０００２】
例えば、Wi-Fi(wireless fidelity)等による無線通信に用いるアンテナやIC（integrated circuit）等を内蔵したテレビジョン受像機が提案されている（例えば、特許文献１参照）。このテレビジョン受像機においては、無線通信機能を有するものとなる。
【先行技術文献】
【特許文献】
【０００３】
【特許文献１】特開２０１０−１１４７３５号公報
【発明の概要】
【発明が解決しようとする課題】
【０００４】
ところで、例えば、無線通信機能を付与するために、上述のようにして、アンテナやIC等をテレビジョン受像機に内蔵する場合、それらを内蔵するスペースを確保するために、テレビジョン受像機の筐体を大型化する必要があった。【０００５】
そこで、テレビジョン受像機の大型化を回避するため、テレビジョン受像機には、アンテナやIC等を内蔵させず、例えば、アンテナやIC等を内蔵した接続装置を、テレビジョン受像機に接続して、無線通信機能等を付与する構成とすることが望ましい。【０００６】
本開示は、このような状況に鑑みてなされたものであり、接続装置と接続された電子機器に新たな機能を付与できるようにするものである。
【課題を解決するための手段】
【０００７】
本開示の一側面の接続装置は、電子機器に接続可能な接続装置であって、無線により送信された無線信号を受信する受信部と、受信された前記無線信号を前記電子機器に中継する中継部と、前記電子機器からの制御信号に基づいて発光する発光部と、前記受信部、前記中継部及び前記発光部を格納する格納部と、前記格納部を前記電子機器に接続する機器接続部とを含み、前記格納部は、前記電子機器に接続された状態で、前記電子機器の筐体上の、予め決められた筐体面の法線方向に、前記筐体面よりも突出する突出部位を有し、前記突出部位に前記受信部を格納する接続装置である。【０００８】
前記格納部には、前記筐体面の一部を覆う前記突出部を有するようにすることができる。【０００９】
接続端子と接続される端子接続部をさらに設けることができ、前記格納部には、前記端子接続部も格納することができる。【００１０】
前記受信部は、前記無線信号を受信するためのアンテナとすることができる。【００１１】
前記受信部は、フィルム上に形成された前記アンテナとすることができる。【００１２】
前記アンテナが設けられた板状部材をさらに設けることができ、前記格納部には、前記突出部位に前記アンテナが格納される場所に、前記板状部材を格納することができる。【００１３】
前記機器接続部は、前記電子機器と着脱自在とすることができる。【００１４】
前記受信部は、前記突出部位に内包された状態で成型され、前記突出部位の一部に前記受信部を露出する切り欠き部を有し、前記中継部と接続された接続部位は、前記切り欠き部に位置し、前記受信部に接触しているようにすることができる。【００１５】
前記受信部は、異なる通信を受信する複数の受信部を含み、前記複数の受信部の間には、電波干渉を遮断する遮断部が設けられているようにすることができる。【００１６】
前記前記遮断部の上面は、前記電子機器の前記筐体の一部分と接しているようにすることができる。【００１７】
前記電子機器は、表示部を有するテレビジョン受像機であり、前記格納部は、前記テレビジョン受像機に接続された状態で、前記テレビジョン受像機の筐体上の、前記表示部が設けられた前記筐体面の法線方向に、前記筐体面よりも突出する前記突出部位を有し、前記突出部位に前記受信部を格納するようにすることができる。【００１８】
本開示の一側面によれば、無線により送信された無線信号を受信する受信部と、受信された前記無線信号を前記電子機器に中継する中継部と、前記電子機器からの制御信号に基づいて発光する発光部と、前記受信部、前記中継部及び前記発光部を格納する格納部と、前記格納部を前記電子機器に接続する機器接続部とを含む接続装置において、前記格納部が、前記電子機器に接続された状態で、前記電子機器の筐体上の、予め決められた筐体面の法線方向に、前記筐体面よりも突出する突出部位を有し、前記突出部位に前記受信部が格納される。
【発明の効果】
【００１９】
本開示によれば、接続装置と接続された電子機器に新たな機能を付与することが可能と
なる。
【図面の簡単な説明】
【００２０】
【図１】従来のテレビジョン受像機の正面図である。
【図２】本開示におけるテレビジョン受像機の外観例を示す図である。
【図３】スマートユニットを上方向から見た場合の斜視図である。
【図４】スマートユニットの正面図である。
【図５】スマートユニットを下方向から見た場合の斜視図である。
【図６】スマートユニットを右側から見た場合の側面図である。
【図７】図２のテレビジョン受像機の機能的な構成例を示すブロック図である。
【図８】スマートユニットの内部の構成例を示す図である。
【図９】フィルムアンテナの詳細な構成例を示す図である。
【図１０】フィルムアンテナの外観例を示す図である。
【図１１】フィルムアンテナと通信基盤の接続について説明するための図である。
【図１２】フィルムアンテナと通信基盤の接続について説明するための図である。
【図１３】通信基板の裏面の一例を示す図である。
【図１４】スマートユニットを側面からみたときの内部の構成例を示す側面図である。
【図１５】スマートユニットを側面からみたときの内部の構成例を示す側面図である。
【図１６】加工面について説明するための図である。
【図１７】スマートユニットを下方向から見た場合の斜視図である。
【図１８】スマートユニットによる発光の様子の一例を示す第１の図である。
【図１９】スマートユニットによる発光の様子の一例を示す第２の図である。
【図２０】スタンドにより支持されたディスプレイ本体の側面図である。
【図２１】板金アンテナが設けられた通信基板の一例を示す図である。
【図２２】図２０の通信基板を内蔵するスマートユニットを側面からみたときの内部の側面図である。
【図２３】板金アンテナが設けられたスマートユニットの正面図である。
【図２４】通信回路の他の構成を示す図である。
【図２５】通信回路を側面から見たときの図である。
【図２６】第１のテレビジョン受像機の正面図である。
【図２７】第１のテレビジョン受像機の側面図である。
【図２８】第１のテレビジョン受像機の上面図である。
【図２９】第２のテレビジョン受像機の正面図である。
【図３０】第２のテレビジョン受像機の側面図である。
【図３１】第２のテレビジョン受像機の上面図である。
【図３２】第３のテレビジョン受像機の正面図である。
【図３３】第３のテレビジョン受像機の側面図である。
【図３４】第３のテレビジョン受像機の上面図である。
【図３５】第４のテレビジョン受像機の正面図である。
【図３６】第４のテレビジョン受像機の側面図である。
【図３７】第４のテレビジョン受像機の上面図である。
【図３８】第５のテレビジョン受像機の正面図である。
【図３９】第５のテレビジョン受像機の側面図である。
【図４０】第５のテレビジョン受像機の上面図である。
【図４１】第５のテレビジョン受像機の斜視図である。
【図４２】第６のテレビジョン受像機の正面図である。
【図４３】第６のテレビジョン受像機の側面図である。
【図４４】第６のテレビジョン受像機の上面図である。
【図４５】第７のテレビジョン受像機の正面図である。
【図４６】第７のテレビジョン受像機の側面図である。
【図４７】第７のテレビジョン受像機の上面図である。
【図４８】第８のテレビジョン受像機の正面図である。
【図４９】第８のテレビジョン受像機の側面図である。
【図５０】第８のテレビジョン受像機の上面図である。
【発明を実施するための形態】
【００２１】
以下、本開示における実施の形態（以下、実施の形態という）について説明する。なお、説明は以下の順序で行う。
１．本開示の概要
２．本実施の形態
３．変形例
【００２２】
＜１．本開示の概要＞
[従来のテレビジョン受像機１]
図１は、従来のテレビジョン受像機１の正面図を示している。
【００２３】
従来のテレビジョン受像機１は、主に、画像を表示するパネル２１、及びパネル２１の四辺を囲むように形成された額縁部２２から構成され、例えばユーザが操作する図示せぬリモートコントローラからの操作信号に応じた処理を行う。
【００２４】
また、テレビジョン受像機１の筐体には、図中左側の側面に、例えば、USB(universal serial bus)端子を接続するためのUSB端子接続部２２aが設けられている。さらに、例えば、テレビジョン受像機１において、額縁部２２の下辺（図中下側の一辺）には、図示せぬリモートコントローラからの操作信号としての赤外線を受光する受光回路２２b、周囲の明るさを検知する検知回路２２c、及びスピーカ等が内蔵される。また、パネル２１の背面には、Wi-Fi(wireless fidelity)等を用いた無線通信を行う通信回路２２d等が内蔵される。
【００２５】
本開示は、例えば、従来のテレビジョン受像機１が有するUSB端子接続部２２a、受光回路２２b、検知回路２２c、及び通信回路２２d等を分離してモジュール化するようにしたものである。モジュール化により得られるスマートユニットを、所定の電子機器に付加（接続）することにより、所定の電子機器に新たな機能を付与することができる。
【００２６】
さらに、例えば、モジュール化により得られるスマートユニットから、そのスマートユニットを包むような柔らかい光を照射するようにして、意匠性（例えば、見た目の美しさ等）を向上させるようにしたものである。
【００２７】
＜２．本実施の形態＞
[テレビジョン受像機４１の外観例]
次に、図２は、本開示におけるテレビジョン受像機４１の外観例を示している。
【００２８】
このテレビジョン受像機４１は、ディスプレイ本体６１、ディスプレイ本体６１の下部に付加（接続）されたスマートユニット６２、及びディスプレイ本体６１を支持するスタンド６３から構成される。
【００２９】
ディスプレイ本体６１は、スタンド６３から着脱自在に構成することも可能である。ディスプレイ本体６１を、スタンド６３から着脱自在に構成した場合、ディスプレイ本体６１をスタンド６３から取り外すことで、スマートユニット６２が付加されたディスプレイ本体６１は、壁掛け用のテレビジョン受像機４１として用いることができる。
【００３０】
ディスプレイ本体６１は、チューナ等を内蔵し、チューナを介して受信した番組等のコンテンツを表示する。なお、ディスプレイ本体６１には、例えば、図１に示したような受光回路２２b、検知回路２２c、及び通信回路２２d等は内蔵されず、番組等を受信して表示するために必要最小限の回路のみが搭載される。
【００３１】
スマートユニット６２は、例えば、図１に示したようなUSB端子接続部２２a、受光回路２２b、検知回路２２c、及び通信回路２２d等を内蔵し、ディスプレイ本体６１に付加される。
【００３２】
ディスプレイ本体６１に付加されたスマートユニット６２は、ディスプレイ本体６１の一部として機能する。すなわち、ディスプレイ本体６１にスマートユニット６２が付加されることにより、ディスプレイ本体６１には、スマートユニット６２が有する機能が付与される。
【００３３】
また、スマートユニット６２は、ディスプレイ本体６１から着脱自在とすることができる。なおここでは、モジュール化により得られるスマートユニット６２を例に挙げて説明し、スマートユニット６２は、ディスプレイ本体６１から着脱自在である場合を例に挙げて説明するが、以下に説明する本技術は、スマートユニットに適用が限定されることを意味するものではない。例えば、スマートユニット６２と電子機器（ディスプレイ本体６１）が別体で構成されていることに本技術の適用範囲が限定されるのではなく、一体化されているような場合でも本技術を適用できる。
【００３４】
さらに、スマートユニット６２は、例えば、ディスプレイ本体６１の状態に応じて発光するLED(light emitting diode)インジケータ１８２（図７等で後述）を内蔵し、ディスプレイ本体６１からの制御にしたがって、LEDインジケータ１８２の発光又は消灯を制御する。
【００３５】
なおここでは、ディスプレイ本体６１からの制御にしたがって、LEDインジケータ１８２の発光又は消灯が制御されるとして説明を続けるが、スマートユニット６２自体の制御にしたがってLEDインジケータ１８２の発光又は消灯が制御されるように構成することも可能である。
【００３６】
例えば、スマートユニット６２が、ディスプレイ本体６１本体と着脱自在に構成されている場合、スマートユニット６２自体が、ディスプレイ本体６１の状態、例えば、電源がオンにされている状態などを検知し、その状態に合ったLEDインジケータ１８２の発光又は消灯を制御するように構成することも可能である。また、スマートユニット６２自体が、LEDインジケータ１８２の発光又は消灯を制御し、インテリアの１つとして機能するような仕組みを設けても良い。
【００３７】
テレビジョン受像機４１では、図１に示したような受光回路２２b、検知回路２２c、及び通信回路２２d等をディスプレイ本体６１に内蔵せず、スマートユニット６２として、ディスプレイ本体６１から分離するようにした。
【００３８】
このため、従来のテレビジョン受像機１は、受光回路２２b、検知回路２２c、及び通信回路２２d等を内蔵することにより、額縁部２２の下辺の幅が広くなってしまうが、テレビジョン受像機４１では、そのような額縁部の幅が広くなってしまうといった事態を防止できる。すなわち、本技術によれば、狭額縁を実現できる。
【００３９】
また、テレビジョン受像機４１では、スマートユニット６２に、例えば通信回路２２dを設けるようにすることができる。
【００４０】
図１に示した従来のテレビジョン受像機１においては、パネル２１の背面に通信回路２２dが設けられていた。パネル２１の背面に通信回路２２ｄが配置されると、無線により送信された無線信号が、パネル２１により遮断される可能性があった。しかしながら、本技術によれば、スマートユニット６２に通信回路２２ｄを設けることができる。スマートユニット６２は、パネルとは異なる位置に配置されており、パネルによる影響を受けない。すなわち、スマートユニット６２に通信回路２２ｄを設けることで、無線により送信された無線信号が、ディスプレイ本体６１のパネルにより遮断されてしまうといったことを防ぐことが可能となる。
【００４１】
さらに、従来のテレビジョン受像機１において別々の箇所に設けられた受光回路２２b、検知回路２２c、及び通信回路２２d等が、テレビジョン受像機４１ではスマートユニット６２に集約されるものとなる。
【００４２】
このため、ユーザは、リモートコントローラからの操作信号を受信（受光）するIR(infrared rays)受光部１７３等（図７で後述）が設けられている位置を、スマートユニット６２が配置された位置として、容易に把握できるようになる。
【００４３】
したがって、例えば、ユーザは、図示せぬリモートコントローラの操作時に、リモートコントローラからの操作信号がスマートユニット６２に向けて出射されるように、リモートコントローラの出射部分を、スマートユニット６２に向けて操作することができる。
【００４４】
よって、テレビジョン受像機４１のスマートユニット６２は、例えば、図示せぬリモートコントローラ等からの操作信号等を、より良い条件で受信（受光）することができる。
【００４５】
また、テレビジョン受像機４１では、スマートユニット６２を、ディスプレイ本体６１に対して着脱可能に構成できるため、必要に応じて、異なる機能のスマートユニット６２に付け替えることができる。
【００４６】
このため、テレビジョン受像機４１を購入したユーザは、スマートユニット６２を、より多くの機能を有する他のスマートユニットに付け替えることにより、テレビジョン受像機４１をアップグレードさせることができる。
【００４７】
また、テレビジョン受像機４１の製造時には、ディスプレイ本体６１に、いずれの機能を有するスマートユニット６２を接続するかによって、異なる機能を有するテレビジョン受像機４１を製造できるようになる。
【００４８】
このため、テレビジョン受像機４１の製造時には、ディスプレイ本体６１とスマートユニット６２とを別々の製造ラインで製造することができる。このため、同一の製造ラインで製造される従来のテレビジョン受像機１と比較して、テレビジョン受像機４１の生産効率を向上させることができる。
【００４９】
また、例えば、ディスプレイ本体６１には、無線通信を行うためのICチップ等を内蔵する必要がないため、例えば、従来のテレビジョン受像機１を製造する場合と比較して、製造時の工数を省略することができる。
【００５０】
さらに、テレビジョン受像機４１の生産効率の向上や、ディスプレイ本体６１の製造時の工数の省略により、相対的に、テレビジョン受像機４１の製造コストを低く抑えることが可能となる。
【００５１】
[スマートユニット６２の外観例]
次に、図３乃至図６を参照して、スマートユニット６２の外観について説明する。
【００５２】
図３は、図２に示されるディスプレイ本体６１が取り外された状態で、スマートユニット６２単体を上方向から見た場合の斜視図を示している。図４は、スマートユニット６２の正面図である。図５は、スマートユニット６２を下方向から見た場合の斜視図である。図６は、スマートユニットを右側から見た場合の側面図である。
【００５３】
図３に示すように、スマートユニット６２は、フロントパネル１０１、格納ケース１０２、接続部材１０３、リアカバー１０４、及び導光板１０５から構成される。
【００５４】
フロントパネル１０１は、板状の形状を有し、格納ケース１０２の正面を覆うように、フロントパネル１０１の裏面と格納ケース１０２の正面とが接着される。ここで、正面とは、フロントパネル１０１の方向（図３でいう図中左下方向）に存在する面をいう。このことは、他の図面でも、断りのない変わり同様であるとする。
【００５５】
また、フロントパネル１０１と格納ケース１０２の間には、例えば、無線通信に用いるアンテナがフィルムに付加されて形成されるフィルムアンテナ１２１（図４等で後述）や、主にカメラが設けられたカメラ基板２０１（図８等で後述）が内蔵される。
【００５６】
したがって、フロントパネル１０１は、例えば、無線通信により通信される無線信号等を透過する素材（例えば、プラスチックや、高い電磁波透過性を有する樹脂フィルム等）により構成される。
【００５７】
なお、フィルムアンテナ１２１は、ユーザの手等の近接又は接触を検知するタッチセンサとして機能する検知電極も有し、格納ケース１０２の右端部１１１に対する近接操作や接触操作、格納ケース１０２の下端部１１２（フロントパネル１０１の底辺部分と接着された部分）に対する近接操作や接触操作を検知する。
【００５８】
さらに、フロントパネル１０１の表面（格納ケース１０２と接着される面とは反対の面）には、例えば、カメラ基板２０１に設けられたカメラ１７５（図８等）のレンズを露出させるための露出孔１０１a等が設けられている。
【００５９】
また、フロントパネル１０１の表面は、例えば、スマートユニット６２を製造した製造業者のロゴやデザイン等を描く加飾部分とすることができる。
【００６０】
テレビジョン受像機４１は、ディスプレイ本体６１とスマートユニット６２とが別々に製造することができる。例えば、テレビジョン受像機４１の製造時に、比較的小型のスマートユニット６２に装飾を施した上で、スマートユニット６２をディスプレイ本体６１に装着することができる。
【００６１】
このため、テレビジョン受像機４１においては、例えば、比較的大型である従来のテレビジョン受像機１の額縁に装飾を施す場合と比較して、より容易に装飾を行うことが可能となる。
【００６２】
格納ケース１０２は、略直方体の形状を有し、詳細は図８を参照して説明するが、フィルムアンテナ１２１、マイクロホン１７６，１７７、カメラ基板２０１、USB端子接続部１８０，１８１や無線通信に用いられるIC等が設けられた通信基板２０２、並びに導光板１０５等を格納する。
【００６３】
格納ケース１０２の正面は、フロントパネル１０１の裏面と重ね合わせるようにして接着される。上述したように、格納ケース１０２とフロントパネル１０１との間には、フィルムアンテナ１２１（図４）及びカメラ基板２０１（図８）が内蔵される。
【００６４】
また、格納ケース１０２の上面は、接続部材１０３で覆われ、格納ケース１０２の背面は、リアカバー１０４で覆われている。さらに、格納ケース１０２の側面には、いずれも、矩形状の挿入口が設けられており、通信基板２０２に設けられたUSB端子接続部１８０，１８１に、外部からUSB端子を接続できるようになっている。
【００６５】
なおここでは、USB端子接続部１８０，１８１を介してスマートユニット６２と本体６１が接続されるとして説明を続けるが、USB以外のインタフェースを用いて接続されるようにしても良い。例えば、UART (Universal Asynchronous Receiver Transmitter)などのインタフェースで、スマートユニット６２と本体６１が接続されるようにしても良い。
【００６６】
また、格納ケース１０２には、格納ケース１０２の正面から底面までを貫通する穴である貫通穴１０２aが設けられている。この貫通穴１０２aは、格納ケース１０２の正面のうち、フロントパネル１０１の裏面が重ね合わされる部分よりも下側に設けられており、貫通穴１０２aには、導光板１０５が格納される。なおここでは、導光板との記載を行うが、その形状は、筒状であっても良く、板形状に限定されるものではない。また複数の板状の部材が組み合わされることで、導光板１０５が形成されている場合も含む。
【００６７】
さらに、格納ケース１０２の正面には、貫通穴１０２aの開口部１０２a1（図４等で後述）が形成され、格納ケース１０２の底面には、貫通穴１０２aの開口部１０２a2（図５等で後述）が形成される。
【００６８】
接続部材１０３は、格納ケース１０２の上面を覆うようにして、格納ケース１０２と接着される。また、接続部材１０３の表面（格納ケース１０２の上面を覆う面とは反対の面）は、ディスプレイ本体６１を着脱自在に形成されている。
【００６９】
リアカバー１０４は、格納ケース１０２の背面と重ね合わせるようにして接着される。
【００７０】
導光板１０５は、格納ケース１０２に設けられた貫通穴１０２aに差込まれるようにして、格納ケース１０２に格納される。また、導光板１０５は、格納ケース１０２に格納された通信基板２０２に設けられたLEDからの光を、正面側の開口部１０２a1や、底面側の開口部１０２a2まで導く凹状の面である凹面部１０５a(図８等で後述)を有する。
【００７１】
図４は、スマートユニット６２の正面図を示し、フロントパネル１０１を正面から見たときの図である。図５は、スマートユニット６２を下方向から見た場合の斜視図を示している。図４を参照するに、格納ケース１０２の正面には、フロントパネル１０１の下側から一部だけはみ出す形で形成された開口部１０２a1が設けられている。
【００７２】
導光板１０５は、図４に示されるように、格納ケース１０２の正面に設けられた開口部１０２a1に差込まれて、貫通穴１０２aに格納される。すなわち、導光板１０５は、格納ケース１０２の正面に設けられた開口部１０２a1と、図５に示されるように、格納ケース１０２の底面に弧を描くように形成された三日月状の開口部１０２a2とを塞ぐようにして、貫通穴１０２aに格納される。
【００７３】
また、フロントパネル１０１の裏面には、図４に示されるように、フィルムアンテナ１２１が貼り付けられるようにして格納される。フィルムアンテナ１２１については、図９及び図１０を参照して詳述する。
【００７４】
次に、図６は、図４に示されるスマートユニット６２を、図４右側から見た場合の側面図を示している。
【００７５】
格納ケース１０２の側面は、図６に示されるように、略L字状の形状を有している。格納ケース１０２は、図６に示されるように、格納ケース１０２の正面から底面にかけて形成された貫通穴１０２aに、凹状の面である凹面部１０５aを有する導光板１０５を格納する。
【００７６】
また、格納ケース１０２は、ディスプレイ本体６１の表示画面よりも前側（図中左側）に、フィルムアンテナ１２１を格納する。
【００７７】
すなわち、例えば、格納ケース１０２は、ディスプレイ本体６１の筐体の表面のうち、予め決められた筐体面の法線方向であって、その筐体面よりも突出された突出部位を有するように形成される。
【００７８】
具体的には、例えば、格納ケース１０２は、ディスプレイ本体６１の表示画面が設けられた面の法線方向であって、ディスプレイ本体６１の表示画面が設けられた面よりも図中左側に突出された突出部位を有するように形成される。そして、格納ケース１０２の突出部位に、フィルムアンテナ１２１が格納される。なお、格納ケース１０２の突出部位は、例えば、図６に示されるように、ディスプレイ本体６１の表示画面が設けられた面の一部を覆うように形成される。
【００７９】
このため、ディスプレイ本体６１（ディスプレイ本体６１が有する金属等）の影響により、無線信号が遮断されてしまうことがなく、スマートユニット６２は、無線通信を行うことが可能となる。
【００８０】
なお、格納ケース１０２の突出部位が、ディスプレイ本体６１の筐体のいずれの面に対して突出されるようにするかが予め決定された状態で、格納ケース１０２は製造される。
【００８１】
いまの場合、図６において、ディスプレイ本体６１の表示画面が設けられた面が存在する方向、すなわち、図中左方向に、ユーザが存在すると想定される。そして、ユーザは、携帯型の通信装置を用いて、スマートユニット６２との間で無線通信を行うものと想定される。
【００８２】
したがって、ディスプレイ本体６１の表示画面が設けられた面に対して、格納ケース１０２の突出部位が突出されるように、格納ケース１０２は形成されている。
【００８３】
また、格納ケース１０２の突出部位には、カメラ基板２０１も格納される。カメラ基板２０１には、図示せぬリモートコントローラから出射される赤外線としての操作信号を受信（受光）するIR受光部１７３（図７で後述）等が設けられている。
【００８４】
したがって、スマートユニット６２では、無線信号の他、操作信号についても同様に、ディスプレイ本体６１により、無線信号としての操作信号が遮断されることなく、操作信号を受信することができる。
【００８５】
[テレビジョン受像機４１の機能ブロック図]
次に、図７は、テレビジョン受像機４１の機能的な構成例を示している。
【００８６】
ディスプレイ本体６１とスマートユニット６２とは、電気的に接続されている。
【００８７】
ディスプレイ本体６１は、電源供給部１４１、DC/DCコンバータ１４２、パネル駆動部１４３、パネル１４４、バックライト１４５、HDMI（high-definition multimedia interface）スイッチ１４６、HDMI端子１４７１乃至１４７３、アナログAV入力端子１４８、PC入力端子１４９、アナログ音声出力端子１５０、光デジタル音声出力端子１５１、LAN端子１５２、チューナ１５３、アンテナ端子１５４、CASカードI/F１５５、B-CAS（登録商標）カード１５６、制御部１５７、オーディオアンプ１５８、及びスピーカ１５９から構成される。
【００８８】
電源供給部１４１は、外部のAC電源と接続され、受電したAC電源を所定電圧のDC電源に変換して、DC/DCコンバータ１４２に供給する。DC/DCコンバータ１４２は、電源供給部１４１から供給される第１の電源電圧を第２の電源電圧に変換し、パネル駆動部１４３、制御部１５７、およびスマートユニット６２などの各部に供給する。なお、各部に供給される電源電圧は、それぞれ異なるものでもよいし、同一であってもよい。
【００８９】
パネル駆動部１４３は、制御部１５７から供給される画像信号に基づいて、パネル１４４とバックライト１４５を駆動し、画像を表示させる。バックライト１４５はパネル１４４の背面側に配置され、パネル１４４とバックライト１４５により、LCD(Liquid Crystal Display)が構成される。パネル１４４は、パネル駆動部１４３の駆動制御に基づいて、各画素の液晶の開口を制御する。バックライト１４５は、パネル駆動部１４３の駆動制御に基づいて、所定の輝度で発光する。
【００９０】
HDMIスイッチ１４６は、制御部１５７からの制御信号に基づいてHDMI端子１４７１乃至１４７３を適宜切り替えて、HDMI端子１４７１乃至１４７３に接続されている外部機器と、制御部１５７との間で授受されるHDMI信号の中継を行う。HDMI端子１４７１乃至１４７３それぞれは、各端子の接続先の外部機器とHDMI信号の授受を行う。
【００９１】
アナログAV入力端子１４８は、外部機器からのアナログのAV信号（Audio and Visual信号）を入力させ、制御部１５７に供給する。
【００９２】
PC入力端子１４９は、例えば、ミニD-Sub１５ピン端子で構成され、パーソナルコンピュータが出力するAV信号のうちの、アナログの画像信号を入力させて、制御部１５７に供給する。
【００９３】
アナログ音声出力端子１５０は、制御部１５７から供給されるアナログの音声信号を、接続先の外部機器に出力する。光デジタル音声出力端子１５１は、制御部１５７から供給される音声の光デジタル信号を、接続先の外部機器に出力する。
【００９４】
LAN端子１５２は、例えば、10BASE-T/100BASE-TXコネクタ等で構成され、ホームネットワーク、インターネットといった所定のネットワークに接続される。
【００９５】
チューナ１５３は、アンテナ端子１５４を介してアンテナ（図示せず）と接続されており、アンテナで受信された電波から、所定のチャンネルの放送信号を取得して、制御部１５７に供給する。なお、本実施の形態においては、チューナ１５３が受信する電波は、例えば、地上デジタル放送の放送信号であるとする。
【００９６】
CASカードI/F１５５には、地上デジタル放送のスクランブルを解くための暗号キーが記憶されているB-CAS(登録商標)カード１５６が挿入される。CASカードI/F１５５は、B-CAS(登録商標)カード１５６に記憶されている暗号キーを読み出し、制御部１５７に供給する。
【００９７】
制御部１５７は、テレビジョン受像機４１全体の制御を行う。例えば、制御部１５７は、画像信号および音声信号のA/D（analog to digital）変換やD/A（digital to analog）変換の処理、放送信号のスクランブル解除処理やデコード処理などを行う。また、制御部１５７は、後述するスマートユニット６２からの明るさ信号、IR信号、タッチセンサ信号、USB（universal serial bus） I/F信号に基づく制御や、LED(light emitting diode）インジケータ１８２のLED制御も行う。制御部１５７は、１つのチップ（SoC:system on a chip）で構成することができる。
【００９８】
オーディオアンプ１５８は、制御部１５７から供給されるアナログの音声信号を増幅し、スピーカ１５９に供給する。スピーカ１５９は、オーディオアンプ１５８からのアナログの音声信号に応じた音声を出力する。
【００９９】
次に、テレビジョン受像機４１のスマートユニット６２の構成について説明する。
【０１００】
スマートユニット６２の格納ケース１０２には、主に、カメラ基板２０１、通信基板２０２、及びフィルムアンテナ１２１が格納されている。
【０１０１】
カメラ基板２０１には、中継部１７１、明るさセンサ１７２、IR受光部１７３、エンコーダ１７４、及びカメラ１７５が設けられている。また、格納ケース１０２には、カメラ基板２０１を挟むようにして、マイクロホン１７６とマイクロホン１７７とが格納されている。
【０１０２】
後述する明るさ信号、IR信号、USB I/F信号、及びタッチセンサ信号は、中継部１７１を介して、ディスプレイ本体６１の制御部１５７とスマートユニット６２との間で授受される。
【０１０３】
明るさセンサ１７２は、テレビジョン受像機４１の周囲の明るさ（例えば、テレビジョン受像機４１が設置されている部屋の明るさ等）を検知し、その検知結果を、明るさ信号として、中継部１７１を介して制御部１５７に供給する。
【０１０４】
IR受光部１７３は、例えば、ユーザが図示せぬリモートコントローラを操作したときに、リモートコントローラから出射される、ユーザの操作に対応するIR信号を受光し、中継部１７１を介して制御部１５７に供給する。
【０１０５】
エンコーダ１７４には、カメラ１７５、マイクロホン１７６、及びマイクロホン１７７が接続されている。カメラ１７５は、CCD(Charge Coupled Device)やCMOS（Complementary Metal Oxide Semiconductor）イメージセンサ等の撮像素子により構成され、撮像により得られる画像信号を、エンコーダ１７４に供給する。マイクロホン１７６及びマイクロホン１７７は、それぞれ、集音により得られる音声信号を、エンコーダ１７４に供給する。エンコーダ１７４は、画像信号及び音声信号のA/D変換処理、エンコード処理等の信号処理を行い、処理後の信号をUSB I/F信号にして、中継部１７１を介して制御部１５７に供給する。
【０１０６】
通信基板２０２には、中継部１７８、制御部１７９、USB端子接続部１８０、USB端子接続部１８１、及びLEDインジケータ１８２が設けられている。
【０１０７】
ディスプレイ本体６１から供給される電力は、中継部１７８を介してスマートユニット６２の各部へ供給される。また、後述するLED制御信号及びUSB I/F信号も、中継部１７８を介して、ディスプレイ本体６１の制御部１５７とスマートユニット６２との間で授受される。
【０１０８】
中継部１７８は、制御部１７９から供給される、USB規格に従ったUSB I/F信号を、制御部１５７に出力する。また、中継部１７８は、制御部１５７からのUSB I/F信号やLED制御信号を、制御部１７９に供給する。
【０１０９】
制御部１７９は、中継部１７８、USB端子接続部１８０、USB端子接続部１８１、LEDインジケータ１８２、BT(Bluetooth(登録商標))アンテナ１８６、NFC(near field communication)アンテナ１８７、及びWi-Fiアンテナ１８８と接続されている。
【０１１０】
制御部１７９は、USB I/F信号として中継部１７８から供給されるデータを、BTアンテナ１８６に供給して、例えば携帯電話機（いわゆるスマートフォン）等の通信装置に、Bluetooth（登録商標）を用いた無線通信により送信する。また、制御部１７９は、Bluetooth（登録商標）を用いた無線通信により、通信装置から送信されてくるデータを、BTアンテナ１８６を介して受信し、USB I/F信号にして、中継部１７８を介して制御部１５７に供給する。
【０１１１】
制御部１７９は、USB I/F信号として中継部１７８から供給されるデータを、NFCアンテナ１８７に供給して、NFCによる非接触近接無線通信により、例えば携帯電話機等の通信装置に送信する。また、制御部１７９は、NFCによる非接触近接無線通信により、通信装置から送信されてくるデータを、NFCアンテナ１８７を介して受信し、USB I/F信号にして、中継部１７８を介して制御部１５７に供給する。
【０１１２】
制御部１７９は、USB I/F信号として中継部１７８から供給されるデータを、Wi-Fiアンテナ１８８に供給して、Wi-Fiを用いた無線通信により、例えば携帯電話機等の通信装置に送信する。また、制御部１７９は、Wi-Fiを用いた無線通信により、通信装置から送信されてくるデータを、Wi-Fiアンテナ１８８を介して受信し、USB I/F信号にして、中継部１７８を介して制御部１５７に供給する。
【０１１３】
USB端子接続部１８０及びUSB端子接続部１８１は、USB端子が接続されるコネクタである。USB端子接続部１８０やUSB端子接続部１８１には、例えば、外部記憶装置としてのUSBメモリやハードディスク記憶装置などが接続される。USB端子接続部１８０とUSB端子接続部１８１は、いずれも、スマートユニット６２の筐体の側面に対向するように設けられている。
【０１１４】
LEDインジケータ１８２は、例えば、LEDユニット１８２a乃至１８２cを内蔵しており、制御部１５７から中継部１７８及び制御部１７９を介して供給されるLED制御信号に基づいて、LEDユニット１８２a乃至１８２cを点灯又は消灯する。
【０１１５】
LEDユニット１８２a乃至１８２cは、それぞれ、赤色で発光するLED、緑色で発光するLED、及び青色で発光するLEDにより構成されている。なお、本実施の形態では、LEDユニット１８２aは、単色（例えば、白色）でのみ発光するものとする。このため、LEDユニット１８２aは、例えば、白色で発光するLEDのみで構成してもよい。本実施の形態では、LEDユニット１８２aは、白色で発光するLEDのみで構成されているものとして説明する。
【０１１６】
フィルムアンテナ１２１には、タッチ検知部１８３、検知電極１８４、検知電極１８５、BTアンテナ１８６、NFCアンテナ１８７、及びWi-Fiアンテナ１８８が設けられている。
【０１１７】
タッチ検知部１８３は、検知電極１８４及び検知電極１８５と接続されている。タッチ検知部１８３は、検知電極１８４による静電容量の変化に基づいて、スマートユニット６２の右端部１１１に対するユーザの近接操作又は接触操作を検知し、その検知結果を、タッチセンサ信号として、中継部１７１を介して制御部１５７に供給する。
【０１１８】
また、タッチ検知部１８３は、検知電極１８５による静電容量の変化に基づいて、スマートユニット６２の下端部１１２に対するユーザの近接操作又は接触操作を検知し、その検知結果を、タッチセンサ信号として、中継部１７１を介して制御部１５７に供給する。
【０１１９】
検知電極１８４及び検知電極１８５は、人間の指等の近接に応じて静電容量が変化する電極である。
【０１２０】
なお、検知電極１８４は、スマートユニット６２の筐体内（スマートユニット６２の右端部１１１の裏側）に内蔵される。検知電極１８４は、右端部１１１に対するユーザの近接操作又は接触操作として、テレビジョン受像機４１の電源の状態を、オン状態又はオフ状態の一方に切り替える操作を検知するために用いられる。
【０１２１】
また、検知電極１８５は、スマートユニット６２の筐体内（スマートユニット６２の下端部１１２の裏側）に内蔵される。検知電極１８５は、下端部１１２に対するユーザの近接操作又は接触操作として、例えば、テレビジョン受像機４１の音量を調整する操作等を検知するために用いられる。
【０１２２】
BTアンテナ１８６は、例えば携帯電話機等の通信装置に、Bluetooth（登録商標）を用いた無線通信を行う際に用いられるアンテナである。NFCアンテナ１８７は、通信装置に、NFCによる非接触近接無線通信を行う際に用いられるアンテナである。Wi-Fiアンテナ１８８は、通信装置に、Wi-Fiを用いた無線通信を行う際に用いられるアンテナである。
【０１２３】
[スマートユニット６２の内部の構成例]
次に、図８を参照して、主に、スマートユニット６２の格納ケース１０２の詳細な構成を説明する。図８は、スマートユニット６２の内部の構成例を示している。
【０１２４】
格納ケース１０２は、底面部２２１、側面部２２２、側面部２２３、及び正面部２２４から形成されている。
【０１２５】
底面部２２１には、USB端子接続部１８０及び１８１等が設けられた通信基板２０２が格納される。なお、図面が煩雑になるのを避けるために、通信基板２０２の表面には、USB端子接続部１８０及び１８１のみを図示するようにしているが、例えば、USB端子接続部１８０とUSB端子接続部１８１の間には、制御部１７９として機能するIC等が設けられる。
【０１２６】
側面部２２２及び側面部２２３は、それぞれ、底面部２２１の底面を囲むように、底面部２２１の図中左右方向に設けられる。
【０１２７】
側面部２２２には、USB端子接続部１８０に、USBメモリ等を接続するための矩形状の挿入口が設けられており、側面部２２２の挿入口を介して、USB端子接続部１８０の接続部位が、スマートユニット６２の筐体の外部から視認可能とされる。
【０１２８】
また、側面部２２３には、USB端子接続部１８１に、USBメモリ等を接続するための矩形状の挿入口が設けられており、側面部２２３の挿入口を介して、USB端子接続部１８１の接続部位が、スマートユニット６２の筐体の外部から視認可能とされる。
【０１２９】
なお、側面部２２２及び側面部２２３は、接続部材１０３を支持する。また、側面部２２２と側面部２２３は、リアカバー１０４と接着される。これにより、通信基板２０２は底面部２２１、側面部２２２、側面部２２３、正面部２２４、接続部材１０３、及びリアカバー１０４により囲まれた状態で格納される。
【０１３０】
正面部２２４は、底面部２２１の底面を囲むように、底面部２２１の前側（フロントパネル１０１が存在する方向）に設けられる。なお、正面部２２４の高さは、側面部２２２及び側面部２２３の高さよりも高いものとなっている。このため、例えば、側面部２２３の側から格納ケース１０２を見たときの形状は、図６に示されるようなL字状の形状となる。
【０１３１】
また、正面部２２４には、矩形状の開口部１０２a1が設けられている。この開口部１０２a1には、導光板１０５が挿入されて格納される。
【０１３２】
さらに、正面部２２４には、図中左端側と右端側に、それぞれ、円筒状に形成された円筒部１０２b及び円筒部１０２cが設けられている。円筒部１０２bにはマイクロホン１７６が、円筒部１０２cにはマイクロホン１７７が、それぞれ格納される。
【０１３３】
また、正面部２２４には、円筒部１０２bと円筒部１０２cとの間であって、開口部１０２a1の上側に、凹部１０２dが設けられている。この凹部１０２dには、カメラ基板２０１が配置されて格納される。
【０１３４】
また、凹部１０２dには、フィルムアンテナ１２１に設けられたBTアンテナ１８６、NFCアンテナ１８７、及びWi-Fiアンテナ１８８（いずれも図９）と通信基板２０２上の図示せぬ制御部１７９とを電気的に接続する信号線を通すための穴１０２eが設けられている。さらに、凹部１０２dには、カメラ基板２０１とフィルムアンテナ１２１に設けられたタッチ検知部１８３とを電気的に接続する信号線１２１a（図９で後述）を配置するための溝１０２fが設けられている。
【０１３５】
なお、カメラ基板２０１は、フロントパネル１０１と対向する面に、エンコーダ１７４及びカメラ１７５が設けられている。また、図面が煩雑になるのを避けるために、カメラ基板２０１には、エンコーダ１７４及びカメラ１７５のみを図示し、明るさセンサ１７２及びIR受光部１７３等の図示は省略している。
【０１３６】
カメラ基板２０１において、例えば、フロントパネル１０１と対向する面には、明るさセンサ１７２及びIR受光部１７３が、それらの受光面をフロントパネル１０１側に向けた状態で設けられている。また、例えば、カメラ基板２０１において、フロントパネル１０１と対向する面の裏側には、中継部１７１が設けられている。
【０１３７】
さらに、導光板１０５は、凹面部１０５aを有しており、この凹面部１０５aの底面は、図８に示されるように、半円状に形成された板状の部材となっている。
【０１３８】
格納ケース１０２は、凹面部１０５aの半円状の底面のうち、半円の弦に相当する部分に形成される直線状の部位を、図４に示したようにして、フロントパネル１０１の下部に設けられた開口部１０２a1から露出させた状態で、導光板１０５を格納する。
【０１３９】
また、格納ケース１０２は、凹面部１０５aの半円状の底面のうち、半円の弧に相当する部分に形成される部位を、図５に示したようにして、格納ケース１０２の底面（図８の底面部２２１）に設けられた開口部１０２a2から露出させた状態で、導光板１０５を格納する。
【０１４０】
[フィルムアンテナ１２１の詳細]
次に、図９は、フロントパネル１０１の裏側に付加されたフィルムアンテナ１２１の詳細な構成例を示している。
【０１４１】
フィルムアンテナ１２１は、図９に示されるように、例えば、ICとしてのタッチ検知部１８３、検知電極１８４、検知電極１８５、BTアンテナ１８６、NFCアンテナ１８７、及びWi-Fiアンテナ１８８が、フィルム上に配置されたものである。タッチ検知部１８３等を配置するフィルムとしては、例えば、PET(ポリエチレンテレフタレート)からなるフィルムや、ポクイミドフィルム等を採用することができる。
【０１４２】
また、タッチ検知部１８３は、検知電極１８４及び検知電極１８５と接続されており、検知電極１８４及び検知電極１８５の静電容量の変化に基づく検知結果を出力するための信号線１２１aとも接続されている。なお、図９では、図面が煩雑になるのを避けるために、タッチ検知部１８３と検知電極１８５を接続する信号線の図示を一部分、省略するようにしている。
【０１４３】
また、フィルムアンテナ１２１において、図９に示されるように、BTアンテナ１８６とWi-Fiアンテナ１８８とは、可能な限り離した状態で配置される。これにより、Bluetooth(登録商標)を用いた無線通信と、Wi-Fiを用いた無線通信との間で干渉が生じる事態を抑止することができる。
【０１４４】
なお、後述するように、BTアンテナ１８６とWi-Fiアンテナ１８８との間に、ガスケットなど、電波干渉を遮断する部材を設け、Bluetooth(登録商標)を用いた無線通信と、Wi-Fiを用いた無線通信との間で干渉が生じる事態をより抑止できる構成とすることも可能である。
【０１４５】
さらに、フィルムアンテナ１２１上の信号線１２１aは、その一方が、タッチ検知部１８３と接続され、他方が、カメラ基板２０１上のIC（中継部１７１）と接続される。なお、信号線１２１aは、カメラ基板２０１のICと接続されるために、図８の溝１０２fに配置される。カメラ基板２０１と信号線１２１aとの関係については、図１０を参照して詳述する。
【０１４６】
ところで、図９に示されるように、フィルムアンテナ１２１には、タッチ検知部１８３を配置するようにしたが、例えば、カメラ基板２０１上にタッチ検知部１８３を設けるようにしてもよい。
【０１４７】
但し、この場合、フィルムアンテナ１２１上の検知電極１８４及び１８５と、カメラ基板２０１上のタッチ検知部１８３とを接続する信号線が、検知電極１８４及び１８５の総数と同じ本数だけ必要となる。
【０１４８】
したがって、タッチ検知部１８３は、フィルムアンテナ１２１上に配置するようにして、カメラ基板２０１と接続される信号線を、１本の信号線１２１aとすることが望ましい。
【０１４９】
次に、図１０を参照して、フィルムアンテナ１２１が、フロントパネル１０１とカメラ基板２０１との間に配置されるときの外観例を示している。
【０１５０】
図１０のＡは、図９のフィルムアンテナ１２１を反対側（図９の図面の裏側）から見たときの一例を示している。
【０１５１】
図１０のＢは、フロントパネル１０１とカメラ基板２０１との間に配置されるときのフィルムアンテナ１２１の一例を示している。
【０１５２】
フィルムアンテナ１２１は、図１０のＡに示される状態から、図１０のＢに示されるような状態に変形される。すなわち、フィルムアンテナ１２１は、図１０のＢに示されるように、検知電極１８４が図１０のＢ中の上側を向き、検知電極１８５が図１０のＢ中の下側を向き、信号線１２１aがカメラ基板２０１の背面側に設けられた中継部１７１と接続できるように、折り曲げられる。
【０１５３】
そして、フィルムアンテナ１２１は、図１０のＢに示される変形後の状態で、フロントパネル１０１とカメラ基板２０１との間に配置される。
【０１５４】
ここで、フィルムアンテナ１２１と制御部１７９との接続について説明を加える。図８を参照して説明したように、フィルムアンテナ１２１に設けられたBTアンテナ１８６、NFCアンテナ１８７、及びWi-Fiアンテナ１８８（いずれも図９）と、通信基盤２０２の制御部１７９として機能するIC等は、穴１０２ｅを介して配置される信号線により電気的に接続されるとして説明した。
【０１５５】
この場合、図１１に示すように、フロントパネル１０１などを側面から見たときに、フロントパネル１０１とフィルムアンテナ１２１は、例えば、両面テープ３０１で張り合わされる。そして、フィルムアンテナ１２１からの信号線は、格納ケース１０２に設けられた穴１０２ｅに挿入され、格納ケース１０２に格納されている通信基盤２０２の制御部１７９と接続される。
【０１５６】
このように信号線を介してフィルムアンテナ１２１と通信基盤２０２が接続されるように構成することもできるが、穴１０２ｅに信号線を通し、信号線を穴１０２ｅに通した後、半田付けして通信基盤２０２と接続するなど、製造工程時に手間がかかる可能性がある。
【０１５７】
そこで、信号線の代わりに、例えば、バネなどを用いて接続する構成としても良い。図１２を参照するに、通信基盤２０２には、接触部３１１が設けられている。接触部３１１は、通信基盤２０２に半田付けなどで固定され、制御部１７９（図１２では不図示）と接続されている。
【０１５８】
また、フィルムアンテナ１２１は、フロントパネル１０１に内包された状態で成型される。フロントパネル１０１のうち、通信基盤２０２側には切り欠き部３２１が設けられている。この切り欠き部３２１の部分においては、フィルムアンテナ１２１が、フロントパネル１０１から露出している状態とされる。この切り欠き部３２１で露出しているフィルムアンテナ１２１と、接触部３１１の一部が接触するように構成される。
【０１５９】
接触部３１１は、フィルムアンテナ１２１と通信基盤２０２（制御部１７９）が電気的に接続できる材料であればよい。また接触部３１１の形状は、板状などの形状であっても良いし、棒状などの形状であっても良い。さらには、接触部３１１はある程度の厚みのある板として構成され、その板の一面が、フィルムアンテナ１２１と面接触するように構成されるようにしても良い。
【０１６０】
また図１２に示すように、接触部３１１の通信基盤２０２と接続される側とは逆側の選択部分は、Ｕ字型に構成される。またＵ字型ではなくＬ字型などでも良く、フィルムアンテナ１２１と確実に接触する状態を保てる形状であればよい。またコネクタや、接触部接点などにより、フィルムアンテナ１２１と接触できる構成であれば、接触部３１１の形状はどのような形状であってもよい。
【０１６１】
フィルムアンテナ１２１は、フロントパネル１０１を製造時にインサート成型や２色成型といった手法により、フロントパネル１０１内に内包することができる。このように構成することでさらなる部品構成の小型化などの最適化施策が行えるようになる。また、製造時の手間の低減をはかることが可能となる。
【０１６２】
次に、図１３は、通信基板２０２の裏面の一例を示している。
【０１６３】
通信基板２０２の裏面（格納ケース１０２の底面部２２１と対向する面）には、LEDインジケータ１８２として、図中中央上側にLEDユニット１８２aが、LEDユニット１８２aから図中左下側にLEDユニット１８２bが、LED１８２bから図中右下側にLEDユニット１８２cが設けられている。
【０１６４】
図１４は、スマートユニット６２を側面からみたときの内部の構成例を示している。
【０１６５】
なお、図１４において、LEDユニット１８２a乃至１８２c、及び導光板１０５付近に記載された矢印は、光が進む方向を表している。また、図１４において、太線の矢印は、開口部１０２a1及び１０２a2からそれぞれ漏れ出る光の方向を表している。
【０１６６】
通信基板２０２の裏面は、図１４に示されるように、貫通穴１０２aに格納された導光板１０５の凹面部１０５aと対向して配置される。
【０１６７】
LEDユニット１８２aは、図中左方向に、例えば白色の光を照射する。すなわち、例えば、LEDユニット１８２aは、通信基板２０２の面（図中水平方向）とLEDの光軸が一致するとともに、図中左方向にLEDの発光面が向くように、通信基板２０２の裏面に配置されるライトアングル型のLEDにより構成され、図中、左方向に光を照射する。
【０１６８】
LEDユニット１８２bは、図中下方向に光を照射する。すなわち、例えば、LEDユニット１８２bは、通信基板２０２の面の法線方向（図中垂直方向）とLEDの光軸が一致するとともに、図中下方向にLEDの発光面が向くように、通信基板２０２の裏面に配置されるトップエントリ型のLEDにより構成され、LEDユニット１８２aよりも広角の光を照射する。
【０１６９】
また、LEDユニット１８２bは、トップエントリ型のLEDとして、赤色で発光するLED、緑色で発光するLED、及び青色で発光するLEDを有している。このため、LEDユニット１８２bは、各LEDの発光輝度に応じて、様々な色で発光することとなる。
【０１７０】
さらに、LEDユニット１８２bが有する各LEDは、LEDユニット１８２aが有するLEDよりも広角となっており、LEDユニット１８２aが有するLEDよりも広範囲に光を照射する。なお、LEDユニット１８２cは、LEDユニット１８２bと同様に構成される。
【０１７１】
導光板１０５は、格納ケース１０２の正面部２２４に設けられた開口部１０２a1と、格納ケース１０２の底面部２２１に設けられた開口部１０２a2とを塞ぐようにして、格納ケース１０２に格納される。
【０１７２】
また、導光板１０５は、通信基板２０２の裏面に設けられたLEDユニット１８２a、LEDユニット１８２b、及びLEDユニット１８２cを囲むようにして形成された凹面部１０５aを有する。
【０１７３】
さらに、導光板１０５は、例えば、光を透過する透明なプラスチック等の部材から構成されており、LEDユニット１８２aからの光を凹面部１０５aで受光して拡散することにより、開口部１０２a1まで導く。また、例えば、導光板１０５は、LEDユニット１８２b及び１８２cからの光を凹面部１０５aで受光して拡散することにより、開口部１０２a1及び開口部１０２a2まで導く。
【０１７４】
このように、LEDユニット１８２a、LEDユニット１８２b、及びLEDユニット１８２cからの光は、図１４に示される導光板１０５上に記載された矢印のように、導光板１０５で拡散されることにより、人間が柔らかいと感じるような光（拡散光）とされる。
【０１７５】
そして、導光板１０５で拡散された拡散光は、図１４に示される太線の矢印のように、開口部１０２a１や開口部１０２a２から照射される。なお、開口部１０２a１及び開口部１０２a２からの光の様子は、図１８と図１９を参照して詳述する。
【０１７６】
導光板１０５は、無色透明の部材ではなく、所定の色が付加された透明な部材から構成されていることが望ましい。
【０１７７】
導光板１０５が色を有する場合、導光板１０５の色により、LEDユニット１８２a、LEDユニット１８２b、及びLEDユニット１８２c（特に、光が直接に出射される部分）が、外部から開口部１０２a1及び１０２a2を介して視認されることを防止できる。
【０１７８】
このため、例えば、無色透明の部材からなる導光板１０５を用いる場合と比較して、点灯時に開口部１０２a1及び１０２a2から照射される光を、より美しく見せることが可能となる。
【０１７９】
図１５は、LEDインジケータ１８２からの光をさらに柔らかい光とするための導光板１０５の他の構成例を示す図である。導光板１０５の上面と下面には、それぞれ波目形状を有する加工面３５１と加工面３５２を有する。導光板１０５の一部分は、ローレット加工されている。
【０１８０】
加工面３５１は、導光板１０５内で、LEDインジケータ１８２の後方（フロントパネル１０１の逆側）の上面に設けられている。加工面３５２は、導光板１０５内で、LED１８２の後方（フロントパネル１０１の逆側）の下面に設けられている。
【０１８１】
図１５と図１６を参照するに、加工面３５１は、加工面３５２よりも小さい範囲に設けられている。また、加工面３５１の波目形状は、加工面３５２の波目形状よりも大きな波目模様とされている。換言すれば、加工面３５１の波目形状は、山の部分と谷の部分との高さの差分が大きく、１つの波の幅が広く構成されているのに対し、加工面３５２の波目形状は、山の部分と谷の部分との高さの差分が小さく、１つの波の幅が狭く構成されている。
【０１８２】
図１７は、スマートユニット６２を下方向から見た場合の斜視図を示している。図１７に示したスマートユニット６２の下面には、加工面３５２が設けられている。加工面３５２は、透明な部材（半透明な部材）で構成されており、光を透過する部材で構成されている。
【０１８３】
このような構成においては、LEDインジケータ１８２からの光は、直接的に、加工面３５２を介してスマートユニット６２の外部に放射されるとともに、間接的に、加工面３５１で反射し、加工面３５２を介してスマートユニット６２に外部に放射される。
【０１８４】
加工面３５１は、LEDインジケータ１８２からの光を拡散することで、柔らかい光を演出できるように設けられている。加工面３５１による光の拡散具合が強すぎると、広範囲に光らなくなるため、加工面３５１の波目は、上記したように粗めに構成され、拡散が弱めになるように構成されている。
【０１８５】
加工面３５２も、LEDインジケータ１８２からの光を拡散することで、柔らかい光を演出できるように設けられているが、加工面３５１よりも波目は粗めに構成されている。加工面３５２の波目を細かく設定することで、拡散具合を均一化することが可能となる。
【０１８６】
このように、導光板１０５は、２つの加工面３５１と加工面５３５２を有し、それぞれの加工面を波目の形状とすることで、スマートユニット６２から外部に放射される光を柔らかい感じの光とすることができる。また、２つの加工面３５１と加工面３５２の波目の形状を異なる形状とすることで、光の柔らかく見える具合や、光の強度などを調整することができるようになる。
【０１８７】
また、波目形状の加工面３５１と加工面３５２により、LEDインジケータ１８２からの光が拡散されることで、LEDインジケータ１８２からの光をブレンドすることが可能となる。すなわち、LEDインジケータ１８２は、例えば、図１３を参照して説明したように、LEDユニット１８２ａ，１８２ｂ，１８３ｃから構成され、それぞれ赤（Ｒ）、緑（Ｇ）、青（Ｂ）を発光するように割り当てることが可能である。
【０１８８】
LEDインジケータ１８２の赤、緑、青の光を、加工面３５１や加工面３５２により拡散することで、混ぜ合わせることが可能となり、LEDユニット１８２ａ，１８２ｂ，１８３ｃのそれぞれの発光強度などを調整することと合わせることで、より多くの色を表現することが可能となる。
【０１８９】
加工面３５２は、フロントパネル１０１の下面に設けられ、フロントパネル１０１とは異なる部材で設けられている。加工面３５２は、フロントパネル１０１の下面の一部を切り欠き、その切り欠きの部分に、透明な部材（半透明な部材）で波目形状を有するように成型されて設けられる。
【０１９０】
このような加工面３５２を、仮に、透明な部材で構成し、波目形状を有さないように構成した場合、フロントパネル１０１内に設けられている、例えば、LEDインジケータ１８２や通信基盤２０２などがユーザに見える状態となってしまう。通信基盤２０２などの内部構成を、ユーザに見せるような意匠もあるが、そのような意匠ではなく、内部構成をユーザに見せない構成とする場合に、波目形状で加工面３５２を構成するのは有効である。
【０１９１】
すなわち、加工面３５２が波目形状とされていることで、スマートユニット６２の内部構成が、透明な部材でできている加工面３５２から透けて見えるといったようなことを防ぐことができる。また、加工面３５２の波目形状を細かい波目とすることで、そのような内部を見せないという効果をより高めることが可能となる。そして、上記したように、加工面３５２の波目形状を細かい波目とすることで、拡散された光を均一化することができるという効果も得られる。
【０１９２】
なお、加工面３５２の波目の方向は、図１７に示すように、スマートユニット６２を下面から見たとき、スマートユニット６２の長辺方向と同じ方向になるように構成されるのが好ましい。換言すれば、加工面３５２の波目の山の部分（谷の部分）であり、図１７の加工面３５２で線が描いてある部分は、フロントパネル１０１と並列的になるように加工面３５２の波目が設けられることが好ましい。
【０１９３】
このように加工面３５２の波目形状を設けることで、フロントパネル１０１側から見たときに、波目によりスマートユニット６２の内部構成が見づらくなるという効果をより高めることが可能となる。
【０１９４】
このように、導光板１０５に加工面３５１と加工面３５２を設けることで、光を拡散することが可能となり、より高い意匠性を得ることが可能となる。なお、加工面３５２は、透明（半透明）部材で構成されているが、加工面３５１は、光を拡散できる部材であれば良く、透明（半透明）部材で構成されている必要性はない。
【０１９５】
[光の分布の一例]
次に、図１８は、LEDユニット１８２a、LEDユニット１８２b、及びLEDユニット１８２cが点灯している場合、スマートユニット６２を正面から見たときの一例を示している。
【０１９６】
なお、図１８には、図面が煩雑になるのを避けるために、フロントパネル１０１の下側に存在する導光板１０５のみを図示している。
【０１９７】
図１８では、光の明るさをグレースケールにより表している。図１８では、白色に近い程に明るいことを表しており、黒色に近い程に暗いことを表している。このことは、後述する図１９についても同様である。
【０１９８】
LEDユニット１８２a、LEDユニット１８２b、及びLEDユニット１８２cが点灯している場合、導光板１０５は、図１８に示されるように、図中中央部分は明るく、図中中央部分から図中左右方向に離れるほどに、消え行くように暗くなる。
【０１９９】
すなわち、例えば、図１３及び図１４に示したように、LEDユニット１８２aを、LEDユニット１８２b及び１８２cよりも、フロントパネル１０１側に設けるようにした。
【０２００】
このため、図１８中央に示されるように、フロントパネル１０１側に最も近いLEDユニット１８２aからの光が最も明るく見えるようになる。
【０２０１】
また、例えば、図１３に示したように、LEDユニット１８２a、LEDユニット１８２b、及びLEDユニット１８２cを、通信基板２０２の中央部分に設けるようにした。
【０２０２】
このため、LEDユニット１８２b及び１８２cからの光は、図１８左側及び図１８右側に示されるように、図１８中央から離れるほどに、消え行くように暗くなる。
【０２０３】
次に、図１９は、ディスプレイ本体６１及びスマートユニット６２が、スタンド６３から取り外され、壁掛け用のテレビジョン受像機４１として用いられた場合の一例を示している。
【０２０４】
なお、図１９には、スマートユニット６２と、スマートユニット６２が配置された室内（壁と床部分）のみを図示している。
【０２０５】
スマートユニット６２が配置された壁には、図１９に示されるように、スマートユニット６２の下側に、円状の光が照射される。
【０２０６】
これは、格納ケース１０２の底面部２２１に、図５に示されるような三日月状の開口部１０２a2が設けられていることによる。
【０２０７】
スマートユニット６２からの光の明るさの分布は、図１８及び図１９を参照して説明したようになるので、スマートユニット６２を包むような柔らかい光を表現することが可能となる。
【０２０８】
なお、スマートユニット６２が付加されたディスプレイ本体６１を、スタンド６３に取り付けた場合、スタンド６３が光を反射する壁として機能し、壁掛け用のテレビジョン受像機４１の場合と同様に、スマートユニット６２を包むような柔らかい光が発光される。
【０２０９】
すなわち、例えば、図２０に示されるように、スタンド６３に、凹状の面を表す凹面部６３aを設けるようし、スマートユニット６２の開口部１０２a2からの光を、凹面部６３aにより反射させるようにしてもよい。
【０２１０】
この凹面部６３aが、壁に掛けて使用した際の壁として機能することにより、スマートユニット６２を包むような光が表現される。なお、スタンド６３に設ける凹面部６３aの形状は、例えば三角錐や四角錐のような形状であってもよいし、直方体のような形状であってもよい。
【０２１１】
すなわち、スマートユニット６２の開口部１０２a2からの光が、スタンド６３に形成された凹面部６３aに反射して、正面方向（図２０における図中左方向）に照射されることになり、壁掛け用として用いる場合と同様の光を表現することが可能となる。
【０２１２】
また、スマートユニット６２において無線信号の受信感度を向上させるために、スタンド６３の凹面部６３aを、無線信号がスタンド６３に反射してスマートユニット６２に向かうような形状（例えば、パラボラアンテナのような凹状の形状）とするようにしてもよい。
【０２１３】
ところで、スマートユニット６２では、上述したように、フィルムアンテナ１２１を内蔵する旨を説明したが、フィルムアンテナ１２１とは異なる種類のアンテナを内蔵するように構成してもよい。
【０２１４】
すなわち、スマートユニット６２において、格納ケース１０２の突出部位である正面部２２４にアンテナが格納されていれば、どのような種類のアンテナを内蔵するようにしてもよい。
【０２１５】
なおここでは、スマートユニット６２の格納ケース１０２の突出部位である正面部２２４にアンテナが格納されている例を示したが、後述するように、アンテナの配置位置などは、正面部２２４に限定されるわけではなく、スマートユニット６２内であればよい。
【０２１６】
[他のアンテナを用いる場合の一例]
次に、図２１は、板金アンテナが設けられた通信基板２０２の一例を示している。
【０２１７】
通信基板２０２の表面には、図２１に示されるように、L字状に形成された板金からなる板金アンテナ２４１L及び２４１Rが設けられている。
【０２１８】
図２２は、図２１の通信基板２０２を内蔵するスマートユニット６２を側面からみたときの内部の構成例を示している。
【０２１９】
なお、図２２では、図面が煩雑になるのを避けるために、スマートユニット６２の背面側（リアカバー１０４が存在する側）の一部の図示を省略している。
【０２２０】
図２２において、通信基板２０２の表面には、L字状の板金アンテナ２４１L及び２４１Rが、ディスプレイ本体６１の前面よりも前（図２２に示される点線よりも左側）に配置される。
【０２２１】
また、カメラ基板２０１についても同様に、ディスプレイ本体６１の前面よりも前に配置されている。すなわち、カメラ基板２０１に設けられた明るさセンサ１７２及びIR受光部１７３等についても、板金アンテナ２４１L及び２４１Rと同様に、ディスプレイ本体６１の前面よりも前に配置されている。
【０２２２】
次に、図２３は、板金アンテナ２４１１L及び２４１Rが設けられたスマートユニット６２の正面図を示している。板金アンテナ２４１L及び２４１Rは、それぞれ、図２３に示されるように、フロントパネル１０１の裏面に配置される。
【０２２３】
図２１乃至図２３を参照して説明したように、スマートユニット６２において、板金アンテナ２４１L及び２４１R、並びにIR受光部１７３は、ディスプレイ本体６１の前面よりも前に配置されることとなる。
【０２２４】
このため、ディスプレイ本体６１に起因して、板金アンテナ２４１L及び２４１Rが受信する無線信号や、IR受光部１７３が受信する無線信号としての操作信号（IR信号）の受信感度が低下する事態を抑止することが可能となる。
【０２２５】
また、スマートユニット６２では、明るさセンサ１７２についても同様に、ディスプレイ本体６１の前面よりも前に配置される。このため、明るさセンサ１７２では、ディスプレイ本体６１の表示画面に表示された番組等のコンテンツを視聴するユーザが存在すると想定される場所の明るさを検知することができる。このことは、フィルムアンテナ１２１を採用した場合についても同様である。
【０２２６】
さらに他のアンテナの配置位置について説明する。図２４は、通信基盤２０２にBTアンテナ１８６とWi-Fiアンテナ１８８を設けた場合の通信基盤２０２の構成を示す図である。BTアンテナ１８６とWi-Fiアンテナ１８８は、可能な限り離した状態で配置される。これにより、Bluetooth(登録商標)を用いた無線通信と、Wi-Fiを用いた無線通信との間で干渉が生じる事態を抑止することができる。
【０２２７】
さらに、BTアンテナ１８６とWi-Fiアンテナ１８８の通信の干渉を防ぐために、ガスケット４０１とガスケット４０２を設ける。ガスケット４０１は、BTアンテナ１８６側に設けられ、ガスケット４０２は、Wi-Fiアンテナ１８８側に設けられる。ガスケット４０１は、BTアンテナ１８６からの通信が、Wi-Fiアンテナ１８８側に漏れ混むことを防ぐために設けられている。ガスケット４０２は、Wi-Fiアンテナ１８８からの通信が、BTアンテナ１８６側に漏れ混むことを防ぐために設けられている。
【０２２８】
ガスケット４０１とガスケット４０２との間に、他のアンテナや制御部１７９（図２４では不図示）を設けることができる。ガスケット４０１とガスケット４０２は、同一の部材で構成されていても良いし、異なる部材で構成されていても良い。好ましくは、ガスケット４０１は、BTアンテナ１８６からの通信を効率良く遮断できる材質、大きさで構成される。同じく、ガスケット４０２は、Wi-Fiアンテナ１８８からの通信を効率良く遮断できる材質、大きさで構成される。
【０２２９】
図２５は、通信基盤２０２を横方向から見たときの図である。図中の矢印は、無線信号が放射される方向を示している。図２５においては、通信基盤２０２上に設けられたWi-Fiアンテナ１８８側から見たときの図である。よって、図中奥に向かう方向に、ガスケット４０２が設けられている。Wi-Fiアンテナ１８８の上部であり、ガスケット４０２の上面と接する位置に、ディスプレイ本体６１の下面が位置するように構成される。
【０２３０】
ディスプレイ本体６１の額縁の下面は、通常、良好な通信を行うには適していない材質、例えば金属など含む構成とされている。または、少なくとも額縁スマートユニット６２と接する部分の額縁は、金属などの良好な通信を行うには適していない材質を含む構成とする。このような構成とすることで、図２５に示したように、Wi-Fiアンテナ１８８の上部方向への通信（電波干渉）を遮断することができる。
【０２３１】
このことにより、ガスケット４０２の上部を通り、Wi-Fiアンテナ１８８からBTアンテナ１８６に漏れ出る通信を、ディスプレイ本体６１の額縁により遮断することができる。図示はしないが、同様に、ガスケット４０１の上部とディスプレイ本体６１の額縁の下面は接するように構成されている。よって、ガスケット４０１の上部を通り、BTアンテナ１８６からWi-Fiアンテナ１８８に漏れ出る通信を、ディスプレイ本体６１の額縁により遮断することができる。
【０２３２】
図２５を参照するに、Wi-Fiアンテナ１８８からの信号は、上側とガスケット４０２側は遮断されるが、前方向、後ろ方向、およびガスケット４０２の逆側の方向には、スマートユニット６２の外部に放射される。図示はしないが、同様に、BTアンテナ１８６からの信号は、上側とガスケット４０１側は遮断されるが、前方向、後ろ方向、およびガスケット４０１の逆側の方向には、スマートユニット６２の外部に放射される。
【０２３３】
このように、ガスケットを設ける構成とすることで、BTアンテナ１８６とWi-Fiアンテナ１８８による、Bluetooth(登録商標)を用いた無線通信と、Wi-Fiを用いた無線通信との間で干渉が生じる事態を抑止することができる。干渉を抑止しつつも、必要な方向への通信は、効率良く行えるため、通信を妨げるようなことはない。
【０２３４】
なお、通信基盤２０２に設けるBTアンテナ１８６とWi-Fiアンテナ１８８は、通信基盤２０２と一枚の基板として構成されても良いし、通信基盤２０２に接続する部材（全てが通信基盤２０２上にあるのではなく、一部分が、通信基盤２０２状にある状態）として構成とすることも可能である。例えば、B to Bコネクタなどのコネクタが用いられて、BTアンテナ１８６とWi-Fiアンテナ１８８が、通信基盤２０２と接するように設けられても良い。また、BTアンテナ１８６とWi-Fiアンテナ１８８は、フィルム形状に限定される訳ではなく、アンテナの形状は、どのような形状であっても本技術を適用できる。
【０２３５】
ところで、本実施の形態では、スマートユニット６２は、図７に示したような機能的構成を有することを説明したが、スマートユニット６２の機能的構成は、これに限定されない。
【０２３６】
すなわち、例えば、スマートユニット６２は、中継器１７１、明るさセンサ１７２、IR受光部１７３、中継器１７８、制御部１７９、USB端子接続部１８０、USB端子接続部１８１、及びLEDインジケータ１８２から構成されるようにしてもよい。
【０２３７】
その他、例えば、スマートユニット６２は、図７に示したような構成に、新たな機能ブロック（例えば、新たなカメラ等）を設けるようにしてもよい。さらに、例えば、図７において、スマートユニット６２に内蔵されるアンテナを、BTアンテナ１８６、NFCアンテナ１８７、及びWi-Fiアンテナ１８８のいずれか１個又は２個とするように構成することもできる。
【０２３８】
なお、スマートユニット６２は、その筐体に内蔵される部品数に応じて異なる大きさ及び形状とされる。
【０２３９】
[他のテレビジョン受像機の外観例]
図２６乃至図４１には、スマートユニット、ディスプレイ本体、及びスタンドにより構成される第１乃至第５のテレビジョン受像機の外観例を示している。
【０２４０】
すなわち、図２６には、ディスプレイが設けられた面を正面から見た第１のテレビジョン受像機の正面図が示されており、図２７には、図２６に示された第１のテレビジョン受像機を、図２６右側から見たときの側面図が示されている。また、図２８には、図２６に示された第１のテレビジョン受像機を、図２６上側から見たときの上面図が示されている。
【０２４１】
図２９には、ディスプレイが設けられた面を正面から見た第２のテレビジョン受像機の正面図が示されており、図３０には、図２９に示された第２のテレビジョン受像機を、図２９右側から見たときの側面図が示されている。また、図３１には、図２９に示された第２のテレビジョン受像機を、図２９上側から見たときの上面図が示されている。
【０２４２】
図３２には、ディスプレイが設けられた面を正面から見た第３のテレビジョン受像機の正面図が示されており、図３３には、図３２に示された第３のテレビジョン受像機を、図３２右側から見たときの側面図が示されている。また、図３４には、図３２に示された第３のテレビジョン受像機を、図３２上側から見たときの上面図が示されている。
【０２４３】
図３５には、ディスプレイが設けられた面を正面から見た第４のテレビジョン受像機の正面図が示されており、図３６には、図３５に示された第４のテレビジョン受像機を、図３５右側から見たときの側面図が示されている。また、図３７には、図３５に示された第４のテレビジョン受像機を、図３５上側から見たときの上面図が示されている。
【０２４４】
図３８には、ディスプレイが設けられた面を正面から見た第５のテレビジョン受像機の正面図が示されており、図３９には、図３８に示された第５のテレビジョン受像機を、図３８右側から見たときの側面図が示されている。また、図４０には、図３８に示された第５のテレビジョン受像機を、図３８上側から見たときの上面図が示されている。さらに、図４１には、図３８に示された第５のテレビジョン受像機を斜め方向から見たときの斜視図が示されている。
【０２４５】
次に、図４２乃至図５０には、スマートユニット及びディスプレイ本体により構成される第６乃至第８のテレビジョン受像機の外観例を示している。
【０２４６】
なお、第６乃至第８のテレビジョン受像機は、スタンドにより支持されておらず、壁掛け用のテレビジョン受像機として用いられる。
【０２４７】
図４２には、ディスプレイが設けられた面を正面から見た第６のテレビジョン受像機の正面図が示されており、図４３には、図４２に示された第６のテレビジョン受像機を、図４２右側から見たときの側面図が示されている。また、図４４には、図４２に示された第６のテレビジョン受像機を、図４２上側から見たときの上面図が示されている。
【０２４８】
図４５には、ディスプレイが設けられた面を正面から見た第７のテレビジョン受像機の正面図が示されており、図４６には、図４５に示された第７のテレビジョン受像機を、図４５右側から見たときの側面図が示されている。また、図４７には、図４５に示された第７のテレビジョン受像機を、図４５上側から見たときの上面図が示されている。
【０２４９】
図４８には、ディスプレイが設けられた面を正面から見た第８のテレビジョン受像機の正面図が示されており、図４９には、図４８に示された第８のテレビジョン受像機を、図４８右側から見たときの側面図が示されている。また、図５０には、図４８に示された第８のテレビジョン受像機を、図４８上側から見たときの上面図が示されている。
【０２５０】
＜３．変形例＞
本実施の形態では、スマートユニット６２は、ディスプレイ本体６１に付加され、信号線を介して、ディスプレイ本体６１との間でデータをやり取りするようにした。
【０２５１】
しかしながら、スマートユニット６２を、例えば、無線通信により、ディスプレイ本体６１とデータをやり取りする構成とすれば、ディスプレイ本体６１に接続させておく必要がないため、スマートユニット６２を、ユーザが所望する場所に配置することができる。なお、この場合、スマートユニット６２は、各部に給電を行うバッテリ等を内蔵しているものとする。
【０２５２】
また、スマートユニット６２は、内蔵されたカメラ１７５により視聴者を撮像し、その撮像により得られる撮像画像に基づいて、視聴者を認識するように構成できる。この場合、スマートユニット６２は、その認識結果を、ディスプレイ本体６１に供給し、ディスプレイ本体６１は、スマートユニット６２からの認識結果に基づいて認識した視聴者の嗜好に合致するコンテンツを表示することができる。
【０２５３】
その他、例えば、スマートユニット６２を、ディスプレイ本体６１から取り外して、例えば、監視カメラなどとして用いるようにしてもよい。この場合、例えば、スマートユニット６２は、内蔵されたカメラ１７５により周囲を撮像し、その撮像により得られる撮像画像を、ディスプレイ本体６１に、無線通信等により送信して表示させることができる。
【０２５４】
なお、スマートユニット６２において、フロントパネル１０１の表面に、比較的小型の表示部を設け、その表示部に所定の情報を表示させるようにしてもよい。
【０２５５】
すなわち、例えば、フロントパネル１０１の表面に設けられた表示部に、所定の情報（例えば、現在時刻等）を表示させるようにすれば、ユーザは、ディスプレイ本体６１に表示されたコンテンツを視聴中でも、容易に所定の情報を知ることが可能となる。
【０２５６】
ここで、表示部としては、例えば、有機ELディスプレイ等の他、通電していない状態でも文字などの表示が可能な電子ペーパー等を採用することができる。
【０２５７】
また、本実施の形態では、スマートユニット６２において、USB端子接続部１８０及び１８１を設けるようにした。
【０２５８】
しかしながら、スマートユニット６２では、USB端子接続部１８０及び１８１の端子接続部分を、スマートユニット６２の筐体から突出可能に構成することができる。
【０２５９】
また、例えば、USB端子接続部１８０及び１８１の端子接続部分を、スマートユニット６２の筐体から突出し、突出した部分を、スマートユニット６２を中心として所定方向に回転可能な構成とするようにしてもよい。
【０２６０】
さらに、例えば、USB端子接続部１８０及び１８１において、スマートユニット６２の筐体から所定の長さだけ引き伸ばすことが可能な信号線が接続された端子接続部分を、筐体内から引き出せる構成とするようにしてもよい。なお、USB端子接続部１８０及び１８１それぞれの端子接続部分は、接続されている信号線を介して、筐体内のUSB端子接続部１８０及び１８１と接続される。
【０２６１】
上述のように、USB端子接続部１８０及び１８１を構成すれば、USBメモリ等を接続する際に、USB端子接続部１８０及び１８１の端子接続部分を、スマートユニット６２の筐体の外部に持ってくることができる。このため、より容易にUSBメモリ等を接続することが可能となる。
【０２６２】
本実施の形態では、スマートユニット６２に、USB端子接続部１８０及び１８１を設けるようにしたが、その他、例えば、USB端子接続部１８０及び１８１に代えて、HDMI端子を接続するためのHDMI端子接続部を設けるようにしてもよい。すなわち、スマートユニット６２に接続される端子の種類は、USB端子に限定されず、HDMI端子等であってもよいし、複数の種類の端子を接続できるように構成してもよい。
【０２６３】
また、本実施の形態では、スマートユニット６２を、ディスプレイ本体６１に付加するようにしたが、スマートユニット６２を付加する対象は、ディスプレイ本体６１に限定されず、例えば、パーソナルコンピュータ等に付加することができる。
【０２６４】
ところで、本技術は、以下の構成をとることができる。
（１）電子機器に接続可能な接続装置において、無線により送信された無線信号を受信する受信部と、受信された前記無線信号を前記電子機器に中継する中継部と、接続端子と接続される端子接続部と、前記受信部、前記中継部及び前記端子接続部を格納する格納部と、前記格納部を前記電子機器に接続する機器接続部とを含み、前記格納部は、前記電子機器に接続された状態で、前記電子機器の筐体上の、予め決められた筐体面の法線方向に、前記筐体面よりも突出する突出部位を有し、前記突出部位に前記受信部を格納する接続装置。
（２）前記格納部は、前記筐体面の一部を覆う前記突出部を有する前記（１）に記載の接続装置。
（３）前記電子機器からの制御信号に基づいて発光する発光部をさらに含み、前記格納部は、前記発光部も格納する前記（１）又は（２）に記載の接続装置。
（４）前記受信部は、前記無線信号を受信するためのアンテナである前記（１）乃至（３）に記載の接続装置。
（５）前記受信部は、フィルム上に形成された前記アンテナである前記（４）に記載の接続装置。
（６）前記アンテナが設けられた板状部材をさらに含み、前記格納部は、前記突出部位に前記アンテナが格納される場所に、前記板状部材を格納する前記（４）に記載の接続装置。
（７）前記機器接続部は、前記電子機器と着脱自在とされる前記（１）乃至（６）に記載の接続装置。
（８）前記受信部は、前記突出部位に内包された状態で成型され、前記突出部位の一部に前記受信部を露出する切り欠き部を有し、前記中継部と接続された接続部位は、前記切り欠き部に位置し、前記受信部に接触している前記（１）乃至（７）に記載の接続装置。
（９）前記受信部は、異なる通信を受信する複数の受信部を含み、前記複数の受信部の間には、電波干渉を遮断する遮断部が設けられている前記（１）に記載の接続装置。
（１０）前記前記遮断部の上面は、前記電子機器の前記筐体の一部分と接している前記（９）に記載の接続装置。
（１１）前記電子機器は、表示部を有するテレビジョン受像機であり、前記格納部は、前記テレビジョン受像機に接続された状態で、前記テレビジョン受像機の筐体上の、前記表示部が設けられた前記筐体面の法線方向に、前記筐体面よりも突出する前記突出部位を有し、前記突出部位に前記受信部を格納する前記（１）乃至（９）に記載の接続装置。
【０２６５】
なお、本開示は、上述した本実施の形態に限定されるものではなく、本開示の要旨を逸脱しない範囲において種々の変更が可能である。
【符号の説明】
【０２６６】
４１  テレビジョン受像機，  ６１  ディスプレイ本体，  ６２  スマートユニット，  ６３  スタンド，  ６３a  凹面部，  １０１  フロントパネル，  １０１a  露出孔，  １０２  格納ケース，  １０２a  貫通穴，  １０２a1，１０２a2  開口部，  １０２ｂ，１０２c  円筒部，  １０２d  凹部，  １０２e  穴，  １０２f  溝，  １０３  接続部材，  １０４  リアカバー，  １０５  導光板，  １０５a  凹面部，  １１１  右端部，  １１２  下端部，  １２１  フィルムアンテナ，  １２１a  信号線，  １７１  中継部，  １７２  明るさセンサ，  １７３  IR受光部，  １７４  エンコーダ，  １７５  カメラ，  １７６，１７７  マイクロホン，  １７８  中継部，  １７９  制御部，  １８０，１８１  USB端子接続部，  １８２  LEDインジケータ，  １８２a乃至１８２c  LEDユニット，  １８３  タッチ検知部，  １８４，１８５  検知電極，  １８６  BTアンテナ，  １８７  NFCアンテナ，  １８８  Wi-Fiアンテナ，  ２０１  カメラ基板，  ２０２  通信基板，  ２２１  底面部，  ２２２，２２３  側面部，  ２２４  正面部，  ２４１L，２４１R  板金アンテナ
【図１】
2013099774.tif 000003
【図２】
2013099774.tif 000004
【図３】
2013099774.tif 000005
【図４】
2013099774.tif 000006
【図５】
2013099774.tif 000007
【図６】
2013099774.tif 000008
【図７】
2013099774.tif 000009
【図８】
2013099774.tif 000010
【図９】
2013099774.tif 000011
【図１０】
2013099774.tif 000012
【図１１】
2013099774.tif 000013
【図１２】
2013099774.tif 000014
【図１３】
2013099774.tif 000015
【図１４】
2013099774.tif 000016
【図１５】
2013099774.tif 000017
【図１６】
2013099774.tif 000018
【図１７】
2013099774.tif 000019
【図１８】
2013099774.tif 000020
【図１９】
2013099774.tif 000021
【図２０】
2013099774.tif 000022
【図２１】
2013099774.tif 000023
【図２２】
2013099774.tif 000024
【図２３】
2013099774.tif 000025
【図２４】
2013099774.tif 000026
【図２５】
2013099774.tif 000027
【図２６】
2013099774.tif 000028
【図２７】
2013099774.tif 000029
【図２８】
2013099774.tif 000030
【図２９】
2013099774.tif 000031
【図３０】
2013099774.tif 000032
【図３１】
2013099774.tif 000033
【図３２】
2013099774.tif 000034
【図３３】
2013099774.tif 000035
【図３４】
2013099774.tif 000036
【図３５】
2013099774.tif 000037
【図３６】
2013099774.tif 000038
【図３７】
2013099774.tif 000039
【図３８】
2013099774.tif 000040
【図３９】
2013099774.tif 000041
【図４０】
2013099774.tif 000042
【図４１】
2013099774.tif 000043
【図４２】
2013099774.tif 000044
【図４３】
2013099774.tif 000045
【図４４】
2013099774.tif 000046
【図４５】
2013099774.tif 000047
【図４６】
2013099774.tif 000048
【図４７】
2013099774.tif 000049
【図４８】
2013099774.tif 000050
【図４９】
2013099774.tif 000051
【図５０】
2013099774.tif 000052
【国際調査報告】
2013099774.tif 000053
2013099774.tif 000054